(57)【特許請求の範囲】
【請求項１】
透析器の膜の一次側に血液を流し、前記透析器の膜の二次側に透析液を流して、前記膜を通じて血液の透析を行う血液透析装置の作動方法であって、
前記血液透析装置は、
内部を第１の室と第２の室に隔て変位可能な隔壁を有する容器と、
前記容器の第１の室の透析液を前記透析器に供給するための膨縮自在な第１の回路と、
前記透析器の透析液を前記容器の第２の室に排出するための膨縮自在な第２の回路と、
前記第１の回路の開閉を行う第１の開閉装置と、
前記第２の回路の開閉を行う第２の開閉装置と、を有しており、
透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第１の開閉装置により前記第１の回路を開放し、前記第２の開閉装置により前記第２の回路を閉鎖し、続いて前記第２の開閉装置により前記第２の回路を開放する制御装置が作動する、血液透析装置の作動方法。
【請求項２】
前記透析液を前記透析器に供給する際に、前記第１の回路に設けられたポンプにより、透析液を前記透析器側に圧送する、請求項１に記載の血液透析装置の作動方法。
【請求項３】
透析器の膜の一次側に血液を流し、前記透析器の膜の二次側に透析液を流して、前記膜を通じて血液の透析を行う血液透析装置の作動方法であって、
前記血液透析装置は、
内部を第１の室と第２の室に隔て変位可能な隔壁を有する容器と、
前記容器の第１の室の透析液を前記透析器に供給するための膨縮自在な第１の回路と、
前記透析器の透析液を前記容器の第２の室に排出するための膨縮自在な第２の回路と、
前記第１の回路の開閉を行う第１の開閉装置と、
前記第２の回路の開閉を行う第２の開閉装置と、を有しており、
透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第２の開閉装置により前記第２の回路を開放し、前記第１の開閉装置により前記第１の回路を閉鎖し、続いて前記第１の開閉装置により前記第１の回路を開放する制御装置が作動する、血液透析装置の作動方法。
【請求項４】
前記透析液を前記透析器に供給する際に、前記第２の回路に設けられたポンプにより、透析液を容器側に圧送する、請求項３に記載の血液透析装置の作動方法。
【請求項５】
前記血液透析装置は、
前記第１の回路と前記第２の回路を接続するバイパス回路と、
前記バイパス回路の開閉を行うバイパス開閉装置と、をさらに有し、
前記第１の回路と前記第２の回路には、前記バイパス回路との分岐部より前記容器側と前記透析器側にそれぞれ開閉装置が設けられ、
前記第１の開閉装置は、前記第１の回路の前記分岐部より前記透析器側に設けられた開閉装置であり、
前記第２の開閉装置は、前記第２の回路の前記分岐部より前記透析器側に設けられた開閉装置である、請求項１〜４のいずれかに記載の血液透析装置の作動方法。
【請求項６】
透析器の膜の一次側に血液を流し、前記透析器の膜の二次側に透析液を流して、前記膜を通じて血液の透析を行う血液透析装置であって、
内部を第１の室と第２の室に隔て変位可能な隔壁を有する容器と、
前記容器の第１の室の透析液を前記透析器に供給するための膨縮自在な第１の回路と、
前記透析器の透析液を前記容器の第２の室に排出するための膨縮自在な第２の回路と、
前記第１の回路の開閉を行う第１の開閉装置と、
前記第２の回路の開閉を行う第２の開閉装置と、
透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第１の開閉装置により前記第１の回路を開放し、前記第２の開閉装置により前記第２の回路を閉鎖し、続いて前記第２の開閉装置により前記第２の回路を開放する制御装置と、を有する、血液透析装置。
【請求項７】
前記第１の回路には、透析液を前記透析器側に圧送するポンプが設けられている、請求項６に記載の血液透析装置。
【請求項８】
透析器の膜の一次側に血液を流し、前記透析器の膜の二次側に透析液を流して、前記膜を通じて血液の透析を行う血液透析装置であって、
内部を第１の室と第２の室に隔て変位可能な隔壁を有する容器と、
前記容器の第１の室の透析液を前記透析器に供給するための膨縮自在な第１の回路と、
前記透析器の透析液を前記容器の第２の室に排出するための膨縮自在な第２の回路と、
前記第１の回路の開閉を行う第１の開閉装置と、
前記第２の回路の開閉を行う第２の開閉装置と、
透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第２の開閉装置により前記第２の回路を開放し、前記第１の開閉装置により前記第１の回路を閉鎖し、続いて前記第１の開閉装置により前記第１の回路を開放する制御装置と、を有する、血液透析装置。
【請求項９】
前記第２の回路には、透析液を容器側に圧送するポンプが設けられている、請求項８に記載の血液透析装置。
【請求項１０】
前記第１の回路と前記第２の回路を接続するバイパス回路と、
前記バイパス回路の開閉を行うバイパス開閉装置と、をさらに有し、
前記第１の回路と前記第２の回路には、前記バイパス回路との分岐部より前記容器側と前記透析器側にそれぞれ開閉装置が設けられ、
前記第１の開閉装置は、前記第１の回路の前記分岐部より前記透析器側に設けられた開閉装置であり、
前記第２の開閉装置は、前記第２の回路の前記分岐部より前記透析器側に設けられた開閉装置である、請求項６〜９のいずれかに記載の血液透析装置。
【発明の詳細な説明】
【技術分野】
【０００１】
本発明は、血液の透析を行う血液透析装置の作動方法、及び血液透析装置に関する。
【背景技術】
【０００２】
血液透析装置は、透析器の膜の一次側に血液を通過させる血液回路と、前記透析器の膜の二次側に透析液を通過させる透析液回路を有し、透析器において膜を通じて血液の透析を行っている。例えば透析液回路には、内部に二つの室を形成し変位可能な隔壁を有する定量容器が接続されている（特許文献１参照）。この血液透析装置の透析処理では、血液回路において透析器の膜の一次側に血液を流した状態で、透析液回路において定量容器の隔壁を移動させ第１の室から透析器の膜の二次側に透析液が供給され、その透析器の二次側から定量容器の第２の室に透析液が戻される。この種の血液透析装置は、透析器への透析液の供給量と透析器からの透析液の排出量を簡単な構成の回路を用いて厳格に制御する際に有用である。
【先行技術文献】
【特許文献】
【０００３】
【特許文献１】特開平５−１４６５０６号公報
【発明の概要】
【発明が解決しようとする課題】
【０００４】
ところで、上述のような血液透析装置を用いた透析処理において、透析液回路の透析液の一部を血液回路側に供給し、その分と同等の量の液体を透析器の膜を通じて血液回路側から透析液回路側に流すことが考えられている。こうすることにより、膜を通る液体の流速が増大し、例えば血液中のより径の大きな不要物質が膜を通過し透析液に取り込まれて、血液に対する透析能力を向上することができる。しかしながら、この場合、透析液回路と血液回路を接続する回路や、透析液回路の透析液を血液回路側に送るポンプ、回路を開閉する装置等が必要になる。このため、血液透析装置の構成が煩雑になり、血液透析装置が大型化し、コストも高くなる。
【０００５】
本発明はかかる点に鑑みてなされたものであり、簡単な装置構成で、透析液回路側から血液回路側への透析液の供給と、透析器の膜を通じた血液回路側から透析液回路側への液体の排出を行うことができる血液透析装置の作動方法、及び血液透析装置を提供することをその目的とする。
【課題を解決するための手段】
【０００６】
上記目的を達成するための本発明は、透析器の膜の一次側に血液を流し、前記透析器の膜の二次側に透析液を流して、前記膜を通じて血液の透析を行う血液透析装置の作動方法であって、前記血液透析装置は、内部を第１の室と第２の室に隔て変位可能な隔壁を有する容器と、前記容器の第１の室の透析液を前記透析器に供給するための膨縮自在な第１の回路と、前記透析器の透析液を前記容器の第２の室に排出するための膨縮自在な第２の回路と、前記第１の回路の開閉を行う第１の開閉装置と、前記第２の回路の開閉を行う第２の開閉装置と、を有しており、透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第１の開閉装置により前記第１の回路を開放し、前記第２の開閉装置により前記第２の回路を閉鎖し、続いて前記第２の開閉装置により前記第２の回路を開放する制御装置が作動するものである。
【０００７】
本発明によれば、容器の隔壁を移動させ透析液を容器から透析器に供給し当該透析器から容器に排出する際に、第１の回路を開放し、一時的に第２の回路を閉鎖するので、透析器の膜の二次側の圧力が上がり、第１の回路の透析液の一部が膜の二次側から一次側に供給される。このとき、隔壁が移動して、少なくとも第２の回路における第２の開閉装置と容器の間の区間は陰圧になるので、膨縮自在な第２の回路の当該区間が収縮する。次に第２の回路を開放することにより、圧力が開放され、第２の回路の上記区間の収縮が元に戻り、その時の吸引力により、透析器の膜の二次側の圧力が下がり、透析器の膜の一次側の液体の一部が二次側に流入する。よって、本発明によれば、新たな装置や部材を取り付けることなく簡単な装置構成で、透析液回路側から血液回路側への透析液の供給と、透析器の膜を通じた血液回路側から透析液回路側への液体の排出を行うことができる。
【０００８】
上記血液透析装置の作動方法において、前記透析液を前記透析器に供給する際に、前記第１の回路に設けられたポンプにより、透析液を前記透析器側に圧送するようにしてもよい。かかる場合、第１の回路側のポンプにより透析液を透析器に圧送するので、第２の回路における第２の開閉装置と容器の間の区間の陰圧を適切に生成できる。
【０００９】
別の観点による本発明は、透析器の膜の一次側に血液を流し、前記透析器の膜の二次側に透析液を流して、前記膜を通じて血液の透析を行う血液透析装置の作動方法であって、  前記血液透析装置は、内部を第１の室と第２の室に隔て変位可能な隔壁を有する容器と、前記容器の第１の室の透析液を前記透析器に供給するための膨縮自在な第１の回路と、前記透析器の透析液を前記容器の第２の室に排出するための膨縮自在な第２の回路と、前記第１の回路の開閉を行う第１の開閉装置と、前記第２の回路の開閉を行う第２の開閉装置と、を有しており、透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第２の開閉装置により前記第２の回路を開放し、前記第１の開閉装置により前記第１の回路を閉鎖し、続いて前記第１の開閉装置により前記第１の回路を開放する制御装置が作動するものである。
【００１０】
本発明によれば、容器の隔壁を移動させ透析液を容器から透析器に供給し当該透析器から容器に排出する際に、第２の回路を開放し、一時的に第１の回路を閉鎖するので、透析器の膜の二次側の圧力が下がり、透析器の膜の一次側の液体の一部が二次側に流入する。このとき、隔壁が移動して、少なくとも第１の回路における第１の開閉装置と容器の間の区間は陽圧になるので、膨縮自在な第１の回路の当該区間が膨張する。次に第１の回路を開放することにより、圧力が開放され、第１の回路の上記区間の膨張が元に戻り、その時の圧力により、透析器の膜の二次側の圧力が上がり、第１の回路の透析液の一部が膜の二次側から一次側に供給される。よって、本発明によれば、新たな装置や部材を取り付けることなく簡単な装置構成で、透析液回路側から血液回路側への透析液の供給と、透析器の膜を通じた血液回路側から透析液回路側への液体の排出を行うことができる。
【００１１】
前記血液透析装置の作動方法において、前記透析液を前記透析器に供給する際に、前記第２の回路に設けられたポンプにより、透析液を容器側に圧送するようにしてもよい。かかる場合、第２の回路側のポンプにより透析液を容器に圧送するので、第１の回路における第１の開閉装置と容器の間の区間の陽圧を適切に生成できる。
【００１２】
前記血液透析装置は、前記第１の回路と前記第２の回路を接続するバイパス回路と、前記バイパス回路の開閉を行うバイパス開閉装置と、をさらに有し、前記第１の回路と前記第２の回路には、前記バイパス回路との分岐部より前記容器側と前記透析器側にそれぞれ開閉装置が設けられ、前記第１の開閉装置は、前記第１の回路の前記分岐部より前記透析器側に設けられた開閉装置であり、前記第２の開閉装置は、前記第２の回路の前記分岐部より前記透析器側に設けられた開閉装置であってもよい。かかる場合、容器の第１の室から流出した透析液をパイパス回路を介して第２の室に戻すことができ、例えば透析液自体に不具合がある場合などに透析液を透析器に供給せずに第２の室に戻すことができる。また、第１の開閉装置、第２の開閉装置として、透析器側に近い開閉装置が用いられるため、第２の回路における第２の開閉装置と容器の間の区間や、第１の回路における第１の開閉装置と容器の間の区間が長くなる。よって、第１の回路や第２の回路の膨縮による圧力変化が十分に確保でき、上述の透析液回路側から血液回路側への透析液の供給と、透析器の膜を通じた血液回路側から透析液回路側への液体の排出が適正に行われる。
【００１３】
別の観点による本発明は、透析器の膜の一次側に血液を流し、前記透析器の膜の二次側に透析液を流して、前記膜を通じて血液の透析を行う血液透析装置であって、内部を第１の室と第２の室に隔て変位可能な隔壁を有する容器と、前記容器の第１の室の透析液を前記透析器に供給するための膨縮自在な第１の回路と、前記透析器の透析液を前記容器の第２の室に排出するための膨縮自在な第２の回路と、前記第１の回路の開閉を行う第１の開閉装置と、前記第２の回路の開閉を行う第２の開閉装置と、透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第１の開閉装置により前記第１の回路を開放し、前記第２の開閉装置により前記第２の回路を閉鎖し、続いて前記第２の開閉装置により前記第２の回路を開放する制御装置と、を有する。
【００１４】
本発明によれば、容器の隔壁を移動させ透析液を容器から透析器に供給し当該透析器から容器に排出する際に、第１の回路を開放し、一時的に第２の回路を閉鎖するので、透析器の膜の二次側の圧力が上がり、第１の回路の透析液の一部が膜の二次側から一次側に供給される。このとき、隔壁が移動して、少なくとも第２の回路における第２の開閉装置と容器の間の区間は陰圧になるので、膨縮自在な第２の回路の当該区間が収縮する。次に第２の回路を開放することにより、圧力が開放され、第２の回路の上記区間の収縮が元に戻り、その時の吸引力により、透析器の膜の二次側の圧力が下がり、透析器の膜の一次側の液体の一部が二次側に流入する。よって、本発明によれば、新たな装置や部材を取り付けることなく簡単な装置構成で、透析液回路側から血液回路側への透析液の供給と、透析器の膜を通じた血液回路側から透析液回路側への液体の排出を行うことができる。
【００１５】
前記血液透析装置において、前記第１の回路には、透析液を前記透析器側に圧送するポンプが設けられていてもよい。
【００１６】
別の観点による本発明は、透析器の膜の一次側に血液を流し、前記透析器の膜の二次側に透析液を流して、前記膜を通じて血液の透析を行う血液透析装置であって、内部を第１の室と第２の室に隔て変位可能な隔壁を有する容器と、前記容器の第１の室の透析液を前記透析器に供給するための膨縮自在な第１の回路と、前記透析器の透析液を前記容器の第２の室に排出するための膨縮自在な第２の回路と、前記第１の回路の開閉を行う第１の開閉装置と、前記第２の回路の開閉を行う第２の開閉装置と、透析液が満たされた前記容器の第１の室の側に前記隔壁を変位させ、前記第１の室の透析液を前記第１の回路を通じて前記透析器に供給し前記透析器の透析液を前記第２の回路を通じて前記第２の室に排出する際に、前記第２の開閉装置により前記第２の回路を開放し、前記第１の開閉装置により前記第１の回路を閉鎖し、続いて前記第１の開閉装置により前記第１の回路を開放する制御装置と、を有する。
【００１７】
本発明によれば、容器の隔壁を移動させ透析液を容器から透析器に供給し当該透析器から容器に排出する際に、第２の回路を開放し、一時的に第１の回路を閉鎖するので、透析器の膜の二次側の圧力が下がり、透析器の膜の一次側の液体の一部が二次側に流入する。このとき、隔壁が移動して、少なくとも第１の回路における第１の開閉装置と容器の間の区間は陽圧になるので、膨縮自在な第１の回路の当該区間が膨張する。次に第１の回路を開放することにより、圧力が開放され、第１の回路の上記区間の膨張が元に戻り、その時の圧力により、透析器の膜の二次側の圧力が上がり、第１の回路の透析液の一部が膜の二次側から一次側に供給される。よって、本発明によれば、新たな装置や部材を取り付けることなく簡単な装置構成で、透析液回路側から血液回路側への透析液の供給と、透析器の膜を通じた血液回路側から透析液回路側への液体の排出を行うことができる。
【００１８】
前記血液透析装置において、前記第２の回路には、透析液を容器側に圧送するポンプが設けられていてもよい。
【００１９】
上記血液透析装置は、前記第１の回路と前記第２の回路を接続するバイパス回路と、前記バイパス回路の開閉を行うバイパス開閉装置と、をさらに有し、前記第１の回路と前記第２の回路には、前記バイパス回路との分岐部より前記容器側と前記透析器側にそれぞれ開閉装置が設けられ、前記第１の開閉装置は、前記第１の回路の前記分岐部より前記透析器側に設けられた開閉装置であり、前記第２の開閉装置は、前記第２の回路の前記分岐部より前記透析器側に設けられた開閉装置であってもよい。
【発明の効果】
【００２０】
本発明によれば、簡単な装置構成で、透析液回路側から血液回路側への透析液の供給と、透析器の膜を通じた血液回路側から透析液回路側への液体の排出を行うことができるので、透析処理能力を向上しつつ、装置の複雑化や大型化を防止し、コストの上昇を抑えることができる。
【図面の簡単な説明】
【００２１】
【図１】血液透析装置の構成の概略を示す模式図である。
【図２】透析処理時の開閉弁の開閉タイミングを示す説明図である。
【図３】第１の工程の血液透析装置の状態を示す説明図である。
【図４】第２の工程の開始時の血液透析装置の状態を示す説明図である。
【図５】第２の工程の透析液循環時の血液透析装置の状態を示す説明図である。
【図６】他の第２の工程の開始時の血液透析装置の状態を示す説明図である。
【図７】他の第２の工程を有する透析処理時の開閉弁の開閉タイミングを示す説明図  である。
【図８】他の第２の工程の透析液循環時の血液透析装置の状態を示す説明図である。
【発明を実施するための形態】
【００２２】
以下、図面を参照して、本発明の好ましい実施の形態について説明する。図１は、本実施の形態に係る血液透析装置１の構成の概略を示す説明図である。
【００２３】
血液透析装置１は、図１に示すように例えば透析器１０に対し血液を循環させる血液回路１１と、透析器１０に対する透析液の供給と排出を行う透析液回路１２を有している。
【００２４】
透析器１０は、例えば中空糸の膜２０を内蔵した中空糸モジュールであり、膜２０の一次側１０ａを通る血液の不要物質を膜２０を通じて二次側１０ｂの透析液に取り込んで血液を透析することができる。
【００２５】
血液回路１１は、例えば患者に穿刺される針部３０から透析器１０の一次側１０ａの入口端１０ｃに接続された採血回路３１と、透析器１０の一次側１０ａの出口端１０ｄから他の針部３２に接続された返血回路３３を有している。例えば採血回路３１には、ポンプ３４が設けられている。
【００２６】
透析液回路１２は、例えば定量容器４０と、第１の回路４１と、第２の回路４２と、第３の回路４３と、第４の回路４４を有している。第１の回路４１〜第４の回路４４は、例えば膨縮性のあるチューブにより構成されている。チューブ材質としては、例えばシリコンチューブが挙げられる。
【００２７】
定量容器４０は、例えば一定容積の内部を第１の室５０と第２の室５１に隔てる変位可能な隔壁５２を有している。隔壁５２は、例えばゴム製のダイアフラムなどにより構成されている。定量容器４０は、各室５０、５１の内圧の変動により隔壁５２が変位して各室５０、５１の容積が変動し、一方の室の容積が大きくなるとその分他方の室の容積が小さくなる。よって、隔壁５２が移動して第１の室５０から透析器１０側に透析液が流出すると、その分量の透析液が透析器１０側から第２の室５１に流入する。
【００２８】
第１の回路４１は、第１の室５０の透析液を透析器１０に供給するためのものであり、第１の室５０から透析器１０の膜２０の二次側１０ｂの入口端１０ｅに通じている。第１の回路４１には、透析器１０への流路を開閉可能な開閉弁６０と、第１の回路４１の透析液を透析器１０側に圧送するポンプ６１と、透析器１０への流路を開閉可能な第１の開閉装置としての開閉弁６２が設けられている。開閉弁６０、ポンプ６１及び開閉弁６２は、第１の室５０側から透析器１０側に向けてこの順で設けられている。
【００２９】
第２の回路４２は、透析器１０の透析液を第２の室５１に排出するためのものであり、透析器１０の二次側１０ｂの出口端１０ｆから第２の室５１に通じている。第２の回路４２には、第２の室５１への流路を開閉する第２の開閉装置としての開閉弁７０と、開閉弁７１が透析器１０側から第２の室５１側に向けてこの順で設けられている。
【００３０】
第１の回路４１と第２の回路４２は、バイパス回路８０によって接続されている。バイパス回路８０は、第１の回路４１のポンプ６１と開閉弁６２との間と、第２の回路４２の開閉弁７０と開閉弁７１との間に接続されている。バイパス回路８０には、バイパス開閉弁８１が設けられている。このバイパス回路８０により、定量容器４０の第１の室５０から流出した透析液を透析器１０に供給せずに第２の室５１に戻すことができる。これによって、例えば透析液自体や透析液の供給に異常が生じた場合等に、透析器１０への透析液の供給を停止することができる。
【００３１】
第３の回路４３は、定量容器４０の第１の室５０に透析液を供給するためのものであり、例えば透析液供給源９０から第１の室５０に通じている。第３の回路４３には、例えばポンプ９１と、第１の室５０への流路を開閉する開閉弁９２が設けられている。
【００３２】
第４の回路４４は、第２の室５１の透析液を装置１の外部に排出するためのものであり、第２の室５１から装置１の外部に通じている。第４の回路４４には、開閉弁１００が設けられている。
【００３３】
血液透析装置１の動作は、制御装置１２０により実行されている。制御装置１２０は、例えばコンピュータであり、メモリに記憶されたプログラムを実行することによって、ポンプ３４、６１、９１、開閉弁６０、６２、７０、７１、８１、９２、１００などの動作を制御して、後述する血液透析装置１の作動方法を実行できる。
【００３４】
次に、以上のように構成された血液透析装置１の作動方法を、透析処理のプロセスと共に説明する。図２は、かかる透析処理の各工程における開閉弁６０、７１、９２、１００、７０の開閉動作を示す説明図である。
【００３５】
先ず、血液回路１１側では、ポンプ３４が作動し、患者の血液が採血回路３１を通じて透析器１０に供給される。血液は、透析器１０の一次側１０ａを通過し、返血回路３３を通じて患者に戻される。
【００３６】
透析液回路１２側では、先ず定量容器４０の第１の室５０への新しい透析液の補充と、第２の室５１から外部への透析液の排出が行われる（図２に示す第１の工程Ｓ１）。具体的には、図３に示すように開閉弁６０、７１が閉鎖され、開閉弁９２、１００が開放され、第３の回路４３を通じて透析液供給源９０から第１の室５０に透析液が供給される。なお、このとき、開閉弁７０は開放されている。また、不具合により透析器１０への透析液の供給を停止する場合など特別な場合を除き、開閉弁６２は開放され、バイパス開閉弁８１は閉鎖されている。
【００３７】
こうして、第１の室５０内が新しい透析液で満たされ、定量容器４０の隔壁５２が第２の室５１側に移動する。また、隔壁５２が第２の室５１側に移動するとともに、予め第２の室５１に貯留されていた透析液が、第４の回路４４を通じて装置１の外部に排出される。
【００３８】
次に、第１の室５０から透析器１０への透析液の供給と、透析器１０から第２の室５１への透析液の排出が行われる（図２に示す第２の工程Ｓ２）。図４に示すように先ず、開閉弁９２、１００が閉鎖され、開閉弁６０、７１が開放され、ポンプ６１が作動する。このとき、一次的に開閉弁７０が閉鎖される。例えばポンプ６１の作動により第１の室５０側から透析器１０側への圧力が付加され、定量容器４０の隔壁５２が第１の室５０側に移動し、第１の回路４１の透析液が透析器１０側に圧送される。透析器１０側に移動した透析液は、開閉弁７０が閉じているので、行き場を失い透析器１０の二次側１０ｂの圧力が上昇し、一部が膜２０を通じて一次側１０ａに流出する。また、このとき、隔壁５２が移動して、少なくとも第２の回路４２の開閉弁７０と第２の室５１との間の区間４２ａは陰圧になり、チューブが収縮して、管路容積が小さくなる。
【００３９】
直後に図５に示すように開閉弁７０が開放され、第２の回路４２に透析液が流される。このとき、第２の回路４２の開閉弁７０と第２の室５１との間の収縮していた区間４２ａのチューブが元に戻り、この際生じる吸引力により、透析器１０の二次側１０ｂの圧力が下がり、膜２０の一次側１０ａの血液の不要物質を含む液体が二次側１０ｂ側に流入する。この際、二次側１０ｂから一次側１０ａに流出した透析液とほぼ同量の液体が一次側１０ａから二次側１０ｂに排出される。これにより、膜２０を通る液体の流速が通常よりも高くなるため、例えば血液中のより径の大きな不要物質が膜２０を通過し透析液に取り込まれて、透析能力が高くなる。なお、開閉弁７０が閉鎖されている時間は、不要物質を含む液体の目標排出量や第２の回路４２の区間４２ａの長さ等に応じて適宜設定される。
【００４０】
開閉弁７０が開放された後は、引き続きポンプ６１により隔壁５２が第１の室５０側に移動し、第１の室５０の透析液が第２の回路４２を通じて透析器１０の二次側１０ｂに供給される。また、二次側１０ｂを通過した透析液は、第２の回路４２を通じて第２の室５１に戻される。この透析液の循環時には、一次側１０ａの血液中の不要物質が膜２０を通過して二次側１０ｂの透析液に取り込まれる。隔壁５２の移動により、第１の室５０の容積が減少した分、第２の室５１の容積が増大するので、第１の室５０から供給された透析液の量と、第２の室５１に排出された透析液の量が同じになる。また、透析器１０において取り込んで増えた不要物質分の透析液は、例えば第２の回路４２に接続された図示しない分岐路から外部に排出される。
【００４１】
その後、再び図３に示すように開閉弁６０、７１が閉鎖され、開閉弁９２、１００が開放され、上述のように透析液供給源９０から第１の室５０に透析液が供給され、第２の室５１の透析液が外部に排出される（第１の工程Ｓ１）。その後、図４及び図５に示したように第１の室５０から透析器１０への透析液の供給と透析器１０から第２の室５１への透析液の排出が行われる（第２の工程Ｓ２）。この開始時に開閉弁７０が一時的に閉じられ、透析器１０の膜２０を通じた二次側１０ｂから一次側１０ａへの透析液の供給と一次側１０ａから二次側１０ｂへの液体の排出が行われる。
【００４２】
こうして、第１の工程Ｓ１と第２の工程Ｓ２が交互に繰り返され、患者の透析処理が行われる。なお、第２の工程Ｓ２において、開始時に開閉弁７０を閉じる工程は毎回行う必要がなく、その回数は適宜設定される。
【００４３】
以上の実施の形態によれば、定量容器４０の隔壁５２を移動させ透析液を第１の室５０から透析器１０に供給し透析器１０から第２の室５１に排出する際に、第１の回路４１を開放し、一時的に第２の回路４２を閉鎖するので、透析器１０の膜２０の二次側１０ｂの圧力が上がり、第１の回路４１の透析液の一部が膜２０の二次側１０ｂから一次側１０ａに供給される。このとき、隔壁５２が移動して、少なくとも第２の回路４２の開閉弁７０と定量容器４０の間の区間４２ａは陰圧になるので、膨縮自在な第２の回路４２の区間４２ａが収縮する。なお、このとき、第１の回路４１のポンプ６１と第１の室５０との間の区間も陰圧になり収縮している可能性もあるが、これはいずれであってもよい。次に第２の回路４２を開放することにより、圧力が開放され、第２の回路４２の区間４２ａの収縮が元に戻り、その時の吸引力により、透析器１０の膜２０の二次側１０ｂの圧力が下がり、透析器１０の膜２０の一次側１０ａの液体の一部が二次側１０ｂに流入する。よって、本実施の形態によれば、新たな装置や部材を取り付けることなく簡単な装置構成で、透析液回路１２側から血液回路１１側への透析液の供給と、透析器１０の膜２０を通じた血液回路１１側から透析液回路１２側への液体の排出を行うことができる。これにより、透析処理能力を向上しつつ、装置の複雑化や大型化を防止し、コストの上昇を抑えることができる。
【００４４】
上記実施の形態では、透析液を透析器１０に供給する第２の工程Ｓ２の際に、第１の回路４１に設けられたポンプ６１により、透析液を透析器１０側に圧送するようにしている。このように第１の回路４１側のポンプ６１により透析液が圧送されるので、第２の回路４２の開閉弁７０と第２の室５１の間の区間４２ａに陰圧が適切に生成される。
【００４５】
また、上記実施の形態では、透析液回路１２にバイパス回路８０、バイパス開閉弁８１が設けられ、第１の回路４１と第２の回路４２に、バイパス回路８０との分岐部より透析器１０側に開閉弁７０、６２が設けられているので、透析液に不具合があった場合などに第１の室５０から流出された透析液を透析器１０に供給せずに第２の室５１に戻すことができる。また、第２の工程Ｓ２の開始時に、透析液回路１２側から血液回路１１側への透析液の供給と、透析器１０の膜２０を通じた血液回路１１側から透析液回路１２側への液体の排出を行う際に、透析器１０側に近い開閉弁７０が一時的に閉じられるので、閉鎖される第２の回路４２の開閉弁７０と第２の室５１との間の区間４２ａが長くなる。よって、第２の回路４２の区間４２ａの膨縮による圧力変化が十分に確保でき、上述の透析液回路１２側から血液回路１１側への透析液の供給と、透析器１０の膜２０通じた血液回路１１側から透析液回路１２側への液体の排出が適正に行われる。
【００４６】
以上の実施の形態では、第２の工程Ｓ２の開始時に、第２の回路４２側の開閉弁７０を一時的に閉鎖していたが、第１の回路４１の開閉弁６２を一時的に閉鎖してもよい。かかる場合、例えば図６に示すように第２の回路４２側にポンプ６１を設けるのが好ましい。ポンプ６１は、例えば開閉弁７０と開閉弁７１との間に設けられる。なお、本実施の形態における血液透析装置１の他の構成は、上記実施の形態と同様であるので、同じ符号を用いて説明を省略する。図７には、この実施の形態における透析処理の各工程における開閉弁６０、７１、９２、１００、６２の開閉動作を示す説明図である。
【００４７】
第２の工程Ｓ２の開始時には、図６に示すように開閉弁６２が閉鎖され、開閉弁６０、７０、７１が開放された状態で、ポンプ６１が作動する。ポンプ６１の作動により透析器１０側から第２の室５１側への圧力が付加され、定量容器４０の隔壁５２が第１の室５０側に移動し、第２の回路４２の透析液が第２の室５１側に圧送される。このとき、開閉弁６２が閉じているので、透析器１０の二次側１０ｂの圧力が下がり、膜２０の一次側１０ａの血液の不要物質を含む液体が二次側１０ｂ側に流入する。これにより、膜２０を通る液体の流速が通常よりも高くなるため、例えば血液中のより径の大きな不要物質が膜２０を通過し透析液に取り込まれて、透析能力が高くなる。また、このとき、隔壁５２が移動して、少なくとも第１の回路４１の開閉弁６２と第１の室５０との間の区間４１ａが陽圧になり、チューブが膨張して、管路容積が大きくなる。なお、ポンプ６１の出口側の第２の回路４２のポンプ６１と第２の室５１との間の区間も陽圧になり膨張している可能性もあるが、これはいずれであってもよい。
【００４８】
直後に図７に示すように開閉弁６２が開放され、第１の回路４１に透析液が流される。このとき、膨張していた区間４１ａのチューブが元に戻り、この際生じる圧力により、透析器１０の二次側１０ｂの圧力が上がり、透析液の一部が膜２０を通じて一次側１０ａに流出する。この際、一次側１０ａから二次側１０ｂに流入した液体とほぼ同量の透析液が二次側１０ｂから一次側１０ａに流出する。
【００４９】
開閉弁６２が開放された後は、上記実施の形態と同様に第１の室５０から透析器１０への透析液の供給と、透析器１０から第２の室５１への透析液の排出が行われる。
【００５０】
かかる実施の形態においても、新たな装置や部材を取り付けることなく簡単な装置構成で、透析液回路１２側から血液回路１１側への透析液の供給と、透析器１０の膜２０を通じた血液回路１１側から透析液回路１２側への液体の排出を行うことができる。これにより、透析処理能力を向上しつつ、装置の複雑化や大型化を防止し、コストの上昇を抑えることができる。
【００５１】
また、透析液を透析器１０に供給する第２の工程Ｓ２の際に、第２の回路４２に設けられたポンプ６１により、透析液を定量容器４０側に圧送するようにしている。このように第２の回路４２側のポンプ６１により透析液が圧送されるので、第１の回路４１の開閉弁６２と第１の室５０の間の区間４１ａに陽圧が適切に生成される。
【００５２】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５３】
例えば以上の実施の形態では、第２の工程Ｓ２の開始時に第２の回路４２の開閉弁７０又は第１の回路４１の開閉弁６２を一時的に閉鎖していたが、それに代えて第２の開閉装置として第２の回路４２の開閉弁７１、第１の開閉装置として第１の回路４１の開閉弁６０をそれぞれ閉鎖してもよい。また、以上の実施の形態は、第１の回路４１、第２の回路４２にそれぞれ二つの開閉弁が設けられている例であったが、その数が二つ以外の場合にも本発明は適用できる。また、開閉弁に限られず他の開閉装置であってもよい。
【００５４】
また、以上の実施の形態では、ポンプ６１により透析液を圧送していたが、他の手段で透析液を圧送する場合にも本発明は適用できる。例えば定量容器４０の隔壁５２を他の駆動源により駆動させたり、隔壁５２に第１の室５０側への付勢力を持たせて第１の室５０が透析液で充填された後自動的に隔壁５２が第１の室５０側に移動するようにしてもよい。
【００５５】
また、以上の実施の形態では、定量容器４０が一つであったが、二つある場合にも本発明は適用できる。かかる場合、各定量容器４０は、それぞれの第１の回路４１と第２の回路４２によって透析器１０に対して並列的に接続されていてもよい。
【産業上の利用可能性】
【００５６】
本発明は、簡単な装置構成で、透析液回路側から血液回路側への透析液の供給と、透析器の膜を通じた血液回路側から透析液回路側への液体の排出を行う際に有用である。
【符号の説明】
【００５７】
１  血液透析装置
１０  透析器
１０ａ  一次側
１０ｂ  二次側
２０  膜
１１  血液回路
１２  透析液回路
４０  定量容器
４１  第１の回路
４２  第２の回路
４３  第３の回路
４４  第４の回路
５０  第１の室
５１  第２の室
５２  隔壁
６０、６２、７０、７１、９２、１００  開閉弁
３４、６１、９１  ポンプ
８０  バイパス回路
８１  パイパス開閉弁
１２０  制御装置
【図１】
0005485757.tif 000002
【図２】
0005485757.tif 000003
【図３】
0005485757.tif 000004
【図４】
0005485757.tif 000005
【図５】
0005485757.tif 000006
【図６】
0005485757.tif 000007
【図７】
0005485757.tif 000008
【図８】
0005485757.tif 000009